(57)【要約】【課題】コストの増加を抑え、しかも小形で確実に防水できる信頼性の高いリード線引出部を有する回転電機を提供する。【解決手段】機内及び機外を貫通する貫通孔２４から複数のリード線７が引き出された回転電機において、上記リード線は機内Ｂ側の先端部にリード線ターミナル３２が装着されている。そして、上記貫通孔は上記リード線ターミナルを挿通し得る内径で各リード線毎に個別に設けられ、上記各リード線の外周部と上記各貫通孔の内周部との間に上記リード線の径方向に締め代を有するグロメット２９がそれぞれ設けられていることを特徴とするものである。【選択図】図１
2008283816.tif 000002
【特許請求の範囲】
【請求項１】
機内及び機外を貫通する貫通孔から複数のリード線が引き出された回転電機において、上記リード線は機内側の先端部にリード線ターミナルが装着され、上記貫通孔は上記リード線ターミナルを挿通し得る内径で各リード線毎に個別に設けられ、上記各リード線の外周部と上記各貫通孔の内周部との間に上記リード線の径方向に締め代を有するグロメットがそれぞれ設けられていることを特徴とする回転電機。
【請求項２】
上記貫通孔の上記機内側に、上記グロメットの一端部を係止する係止部が突設されていることを特徴とする請求項１に記載の回転電機。
【請求項３】
上記貫通孔の上記機外側端部に、上記グロメットの他端部を係止する板状のグロメットホルダがスナップフィットにより設けられていることを特徴とする請求項１または請求項２に記載の回転電機。
【請求項４】
上記グロメットは、中心部に上記リード線を挿通する穴を有する円筒状に形成され、外周面に周方向に形成された凹部が互いに離間されて複数設けられていることを特徴とする請求項１ないし請求項３の何れかに記載の回転電機。
【請求項５】
上記貫通孔はステータコアの一端部側に設けられたハウジングに径方向に設けられ、上記リード線ターミナルは、該貫通孔の機内側近傍に設けられた接続ターミナルベースに対し接続ネジにより軸方向に平行な方向に固定されてなることを特徴とする請求項１ないし請求項４の何れかに記載の回転電機。
【発明の詳細な説明】
【技術分野】
【０００１】
この発明は、例えば自動車等の車両用のモータ、発電電動機などとして好ましく用いることができる回転電機に関し、更に詳細にはリード線引出部の防水構造の改良に関する。
【背景技術】
【０００２】
従来のモータとして、複数のスロットを有するステータコアと、上記スロットに絶縁物を介して巻装収納されたコイルと、上記コイルの端末に接続されたリード線と、上記コイルが巻装されたステータコアを収納しリード線を外側に引き出す貫通穴を有するブラケットと、上記貫通穴に取り付けられたリード線引き出しゴムとからなり、リード線とリード線引き出しゴムの隙間を密閉し防水構造とするための防水栓をリード線とリード線引き出しゴムの間に設けたものがある（例えば特許文献１参照。）。
また、モータのリード線引出部に、締め代を持ったグロメットの穴にリード線を通してグロメットとリード線の間を密閉した状態で、グロメットのリブの部分をモータのハウジングに押え板で押しつけることによってモータとの気密を保つものもあった。
【０００３】
【特許文献１】特開平１１−８９１５６号公報（第１頁、図１）
【発明の開示】
【発明が解決しようとする課題】
【０００４】
上記特許文献１に記載された従来技術では、防水栓とリード線引出しゴムの組み合わせで防水する構造となっているため、防水を保つための締め代を有する部分の数が多くなり、また形状も単純な円形ではないため、締め代を確保するための部品の寸法に対する要求精度が高くなり、コストが増加するという課題があった。
また、グロメットのリブの部分をモータのハウジングに押え板で押しつけることによってモータとの気密を保つものでは、リブを設ける空間及び押え板をハウジングにネジ止めするための空間が必要となり、リード線引出部の寸法が大きくなり、ひいてはモータの外形が大きくなると言う課題があった。
【０００５】
この発明は上記のような従来技術の課題を解消するためになされたもので、コストの増加を抑え、しかも小形で確実に防水できる信頼性の高いリード線引出部を有する回転電機を提供することを目的としている。
【課題を解決するための手段】
【０００６】
この発明に係る回転電機は、機内及び機外を貫通する貫通孔から複数のリード線が引き出された回転電機において、上記リード線は機内側の先端部にリード線ターミナルが装着されている。そして、上記貫通孔は上記リード線ターミナルを挿通し得る内径で各リード線毎に個別に設けられ、上記各リード線の外周部と上記各貫通孔の内周部との間に上記リード線の径方向に締め代を有するグロメットがそれぞれ設けられていることを特徴とするものである。
【発明の効果】
【０００７】
この発明においては、リード線を挿通する貫通孔は、先端部に装着されたリード線ターミナルを挿通し得る内径で各リード線毎に個別に設け、各リード線の外周部と各貫通孔の内周部との間にリード線の径方向に締め代を有するグロメットをそれぞれ設けるように構成したことにより、従来のリード線引出部のように押え板をハウジングにネジ止めする必要が無いので、ネジ止めのための空間も必要としない。また、グロメットホルダは押え板のような強度も必要ないので寸法も小さくて済む。このため、リード線引出部の寸法が小さくなり、モータを小型化することができる。また、複数のリード線毎にグロメットを設けたので構成が簡単で確実に防水でき、信頼性が高められる。
【発明を実施するための最良の形態】
【０００８】
実施の形態１．
図１〜図３はこの発明の実施の形態１による回転電機であるモータを説明するもので、図１はリード線引出部の防水構造を示すモータの軸方向断面図、図２は図１に示された防水構造の径方向断面図、図３は図１に示されたモータの外形を示すもので、（ａ）は正面図、（ｂ）は側面図である。なお、各図を通じて同一符号は同一部分を示している。図において、回転電機としてのモータ１は、この例では永久磁石同期モータであって、電磁鋼板を積層して形成されたステータコア２には樹脂製のインシュレータ３を介して３相の巻線４が巻回されている。各相の巻線４は樹脂製のターミナルホルダ５に収められた巻線ターミナル６によって結線され、さらに各相の巻線ターミナル６にはリード線７と接続するための接続ターミナル８が取り付けられている。接続ターミナル８は接続ターミナルベース部９に取り付けられており、接続ターミナルベース部９の内部には接続ターミナル８にリード線７を取り付けるためのナット１０が収納されている。
【０００９】
ステータコア２は鉄製のフレーム１１に圧入され、モータ１のステータ部１２をなしている。フレーム１１の一端部（図の右側）には底部があり、底部の中央部にはロータ１３の一端部を支持するためのリアベアリング１４を収納するリアベアリングボックス部１５が形成されている。フレーム１１の他方の端部は開口しており、モータ１のハウジング１６と連結するためのインロー部１７が形成されている。フレーム１１のインロー部１７の外周には、モータ１のハウジング１６にステータ部１２をネジ止めするためのネジ止め部（図示省略）を有するフランジ部１８が形成されている。モータ１のハウジング１６とフランジ部１８の間には、防水のためのＯリング状のフレームグロメット１９が設けられている。
【００１０】
モータ１のハウジング１６は、この例ではアルミ合金のダイキャスト成形によって形成され、中央部にはロータ１３の他端部を支持するためのフロントベアリング２０を収納するフロントベアリングボックス２１が形成されている。また、ハウジング１６のフロントベアリングボックス２１の近傍には、ロータ１３の回転角度を検出するための回転センサであるレゾルバ２２を取り付けるための、レゾルバ取付部２３が形成されている。ハウジング１６には上記３相の巻線４を機外Ａの図示省略している駆動回路に接続するためのリード線７を挿通するための円形のグロメット挿通穴である貫通孔２４が３個並設されている。ハウジング１６のステータ部１２を取り付ける側と反対側の端部には、モータ１を相手側機器に取り付けるための取付インロー部２５が設けられている。
【００１１】
ロータ１３は鉄製のシャフト２６の外周にリング状の磁石２７を取り付けた構造となっており、シャフト２６の両端はリアベアリング１４及びフロントベアリング２０によって回転自在に支持されている。シャフト２６のフロント側端部には、相手側機器と連結するためのカップリングであるボス２８が取り付けられている。
次に、リード線引出部の防水構造について説明する。３相の巻線４に接続されるリード線７のハウジング１６の貫通孔２４に挿通する部分には、中心部にリード線７を挿通する１つの穴を有する円筒状のゴム製のグロメット（封止部材）２９が取り付けられている。該グロメット２９は、リード線７の外周部及び貫通孔２４の内周部に対し締め代を持った寸法になっており、貫通孔２４に挿入されるとリード線７の外周面と貫通孔２４の内周面で圧縮されて相互間が密着され、リード線引出部３０の防水が保てるように構成されている。また、上記グロメットの外周面に周方向に形成された凹部が互いに離間されて複数設けられている。
【００１２】
貫通孔２４のモータ１の機内Ｂ側の開口部付近には、グロメット２９がモータ１の機内Ｂ側へずれるのを防止するための突起からなる係止部２４ａが設けられている。一方、リード線引出部３０の外周囲の対辺部にはそれぞれ凹部３０ａが設けられており、リード線７とグロメット２９を貫通孔２４に挿入した後に、ハウジング１６外側のリード線引出部３０の周囲に、略コ字形で中央部の辺に各リード線７を挿通する３つの挿通穴３１ａを有し、折曲された両端辺に、上記凹部３０ａに係合する係合突起３１ｂを有する板状のグロメットホルダ３１がスナップフィットによって取り付けられ、グロメット２９がモータ１の機外Ａ側へずれるのを防止している。該グロメットホルダ３１は、グロメット２９のずれを防止するだけの強度があればよいので、従来のリード線引出部の防水構造における押え板のようにハウジング１６にネジ止めする必要が無いので、ネジ止めのための空間も必要とせず、グロメットホルダ３１自体の寸法も小さくて済む。なお、リード線７のモータ１の機内Ｂ側に挿入される側の先端部には、上記接続ターミナル８にリード線７を接続するためのリード線ターミナル３２が取り付けられている。
【００１３】
上記リード線ターミナル３２には、上記接続ターミナル８にネジ止めするための接続穴が設けられている。リード線ターミナル３２の最大幅は、上記貫通孔２４の内径よりも小さくなっており、あらかじめリード線ターミナル３２をリード線７に取り付けた後にハウジング１６に挿入できる様になっている。上記リード線ターミナル３２と上記接続ターミナル８は、上記ハウジング１６の上記取付インロー部２５の内側に設けられたネジ締め穴３３を通して、接続ネジ３４を上記ナット１０に締め付けることによって接続される。ハウジング１６の取付インロー部２５の内側は、モータ１を相手側機器に取り付けることによって密閉されるので、上記ネジ締め穴３３が開口していてもモータ１の防水性には問題は生じない。
【００１４】
次に上記のように構成された実施の形態１の動作を、リード線引出部の組み付けについて説明する。先ず、各リード線７の機内Ｂ側端部からそれぞれ円筒状のグロメット２９を装着した後、先端部の絶縁被覆を除去してリード線ターミナル３２を圧着工具により取り付ける。次に先端部にリード線ターミナル３２を装着したリード線７を貫通孔２４に挿通し、機内Ｂ側でリード線ターミナル３２の接続穴を接続ターミナルベース部９のナット１０の位置に合わせ、ドライバーに接続ネジ３４を係合させたものをネジ締め穴３３から挿入してナット１０に対して半固定し、その状態でリード線７に装着したグロメット２９を貫通孔２４内にずらせつつ圧入する。その後、接続ネジ３４を本締めし、グロメットホルダ３１を３本のリード線７に通して、係合突起３１ｂをリード線引出部３０の凹部３０ａにスナップフィットで装着する。なお、グロメットホルダ３１は、リード線３に最初に通しておいても良い。
【００１５】
上記のように、この実施の形態１によれば、グロメット挿通穴としての貫通孔２４を、リード線ターミナル３２を挿通し得る内径で各リード線７毎に個別に設け、各リード線７の外周部と各貫通孔２４の内周部との間にリード線７の径方向に締め代を有するグロメット２９をそれぞれ設けるように構成したことにより、従来のリード線引出部の防水構造のように押え板をハウジングにネジ止めする必要が無いので、ネジ止めのための空間も必要とせず、組立が容易である。また、グロメットホルダ３１は押え板のような強度も必要ないので寸法も小さくて済む。そして、グロメット２９自体も単純な円筒形状で３相各々に設けたので、従来のグロメットのようなリブ部が不要であり、外形を小さくすることができる。ひいては、リード線引出部３０の寸法が小さくなり、モータ１の外形を小型化することができるという効果が得られる。
【００１６】
なお、上記実施の形態１では永久磁石式同期モータについて説明したが、これに限定されるものではなく、他の回転電機にも同様に適用できることは言うまでもない。また、グロメット挿通孔である貫通孔２４の設置位置や設置方向、グロメットホルダ３１の形状や固定構造等も実施の形態１で例示したものに限定されるものではないことは当然である。
【図面の簡単な説明】
【００１７】
【図１】この発明の実施の形態１による回転電機であるモータのリード線引出部の防水構造を示す軸方向断面図である。
【図２】図１に示された防水構造の径方向断面図である。
【図３】図１に示されたモータの外形を示すもので、（ａ）は正面図、（ｂ）は側面図である。
【符号の説明】
【００１８】
１  モータ（回転電機）、  ２  ステータコア、  ４  巻線、  ５  ターミナルホルダ、  ６  巻線ターミナル、  ７  リード線、  ８  接続ターミナル、  ９  接続ターミナルベース部、  １０  ナット、  １１  フレーム、  １２  ステータ部、  １３  ロータ、  １６  ハウジング、  ２４  貫通孔（グロメット挿通穴）、  ２４ａ  係止部（突起）、  ２５  取付インロー部、  ２６  シャフト、  ２７  磁石、  ２８  ボス、  ２９  グロメット、  ３０  リード線引出部、  ３０ａ  凹部、  ３１  グロメットホルダ、  ３１ａ  挿通穴、  ３１ｂ  係合突起、  ３２  リード線ターミナル、  ３３  ネジ締め穴、  ３４  接続ネジ、  Ａ  機外、  Ｂ  機内。
【図１】
2008283816.tif 000003
【図２】
2008283816.tif 000004
【図３】
2008283816.tif 000005